(57)【要約】【課題】新規ロール紙のセット時にロール紙先端に先の尖った分離ガイド等を直接接触させてロール紙先端を自動的に分離する機構において、ロール紙先端が内側にカールしている場合や、ロール紙自体が静電気を帯びている場合に、ロール紙先端がロール紙に張り付き、分離ガイド先端がロール紙先端を引っ掛けることが出来ず、分離失敗となる場合がある。【解決手段】  分離ガイド接触前にロール紙両端を内側に押さえロール紙先端を剥がすことにより、ロール紙先端と分離ガイド先端が当たるときに、ロール紙とロール紙先端の隙間を大きくしておく。これにより、ロール紙先端が内側にカールしている場合や、ロール紙自体が静電気を帯びている場合等のロール紙先端が張付きやすい条件のロール紙についても、ロール紙先端の分離を行うことができるようになる。【選択図】  図１
2012162337.tif 000002
【特許請求の範囲】
【請求項１】
ロール紙を回転させその先端を分離して搬送路へ引き込むロール紙分離装置であって、
前記ロール紙の下方に配置され、前記ロール紙を回転させる駆動ローラと、
前記駆動ローラよりも前記搬送路側に配置され、回転する前記ロール紙とその先端部との間に生じる空間に挿入される分離ガイドと、
前記分離ガイドよりも前記搬送路側に配置され、前記分離されたロール紙の先端を搬送路へ引き込む搬送ローラと、
前記ロール紙の自重により、前記ロール紙の横幅方向両端の縁を下側から押すことによってロール紙の先端部とロール紙本体との間に空間を生じさせる分離補助手段と、
からなることを特徴とするロール紙分離装置。
【請求項２】
請求項１に記載のロール紙分離装置であって、
前記分離補助手段は、前記ロール紙の横幅方向両端の下方のそれぞれに設けられ、それぞれ相対する側の径が小さくなるような円錐形状の前記駆動ローラであることを特徴とするロール紙分離装置。
【請求項３】
請求項１に記載のロール紙分離装置であって、
前記分離補助手段は、前記ロール紙の横幅方向両端の下方のそれぞれの異なる回転軸に設けられた前記駆動ローラによって構成され、
前記２つの回転軸は、前記２つの駆動ローラが前記ロールの横幅方向両端を内側に押すように、ロール紙の回転軸に対して斜め方向に取り付けられていることを特徴とするロール紙分離装置。
【請求項４】
請求項１に記載のロール紙分離装置であって、
前記分離補助手段は、前記駆動ローラと前記分離ガイドとの間に設けられ、前記ロール紙の側面を下方から挟み込むようにした１対の壁状のガイド部材であることを特徴とするロール紙分離装置。
【請求項５】
請求項１〜４のいずれかに記載のロール紙分離装置であって、
前記分離ガイドは、その先端部の横幅が後端部よりも小さいことを特徴とするロール紙分離装置。
【請求項６】
請求項１〜５のいずれかに記載のロール紙分離装置であって、
前記搬送ローラは、前記分離されたロールの横幅方向全面を上下方向から挟み込むように構成された一対のローラであることを特徴とするロール紙分離装置。  
【発明の詳細な説明】
【技術分野】
【０００１】
本発明は、金融機関等で使用されている現金自動預払機に搭載されている、取引内容を明細票（レシート）に印字して発行するレシートプリンタに適用する。
【背景技術】
【０００２】
一般的に金融機関等で使用されている現金自動預払機（ＡＴＭ）のレシートプリンタには、連続用紙を巻いたロール紙を使用している。ロール紙に取引内容を印字し、所定の長さでカットし、レシートとして顧客操作部へ搬送、発行している。
【０００３】
ＡＴＭは、無人で連続運転できるよう構成されており、ロール紙を使いきった場合、あらかじめセットされている予備のロール紙を自動で補充する機構を有している。この補充機構部は、ロール紙に印字やカットを行う機構を備えた搬送路へロール紙先端を引き込むための分離機構を備えている。
【０００４】
このような分離機構の一例としては、特開平5-246610号公報のようにロール紙の下部にゴムローラを配置し、ロール紙を用紙先端方向に回転させ、薄い分離ガイドをロール紙先端とロール紙の隙間に入り込むようロール紙に接触させておくことで、ロール紙から浮いた先端を分離したり、ロール紙先端に分離ガイド先端を当てて、用紙先端を剥がして分離する機構が提案されている。
【先行技術文献】
【特許文献】
【０００５】
【特許文献１】特開平5-246610号公報
【発明の概要】
【発明が解決しようとする課題】
【０００６】
未使用のロール紙を装置へセットする際には、予め、係員等が先端部を剥がして分離しやすいようにセットするのが通常であるが、前述の機構では、ロール紙先端が内側に強くカールしている場合や、ロール紙自体が静電気を帯びている場合に、ロール紙先端がロール紙に張り付き分離ガイド先端がロール紙先端を引っ掛けることが出来ず、分離に失敗することがある。
【０００７】
分離性能を改善するためには、分離ガイド先端の厚みを薄くすることが効果的であり、例えば分離ガイド先端の厚みが用紙の厚み（ＡＴＭ用レシート紙の場合は約０．０６mm）より小さくすれば、ロール紙先端がロールに張り付いていても分離ガイド先端に当てて引っ掛けることが可能となるが、薄くするほど分離ガイド先端の強度が落ちて破損し易くなり、加工も困難となる。また、レシートに傷をつけたり、分離ガイドが触手可能部にある場合は、指で触った場合に切り傷等を起こす虞もあって必ずしも適当でない。
【課題を解決するための手段】
【０００８】
本発明では、分離ガイド接触前にロール紙の幅方向の両端を内側に押さえロール紙先端をたわませて剥がすことにより、ロール紙先端分離ガイド先端がロール紙とロール紙先端の隙間に入り易くする。
【発明の効果】
【０００９】
本発明によれば、ロール紙先端が内側に強くカールしている場合や、ロール紙自体が静電気を帯びている場合等の、ロール紙先端がロール紙に張り付きやすい条件でも、ロール紙先端の分離を行うことが出来るようになる。
【図面の簡単な説明】
【００１０】
【図１】実施例１の構造図
【図２】実施例1の後方からの図
【図３】ロール紙のたわみの説明図
【図４】実施例１を下からみた図
【図５】実施例１を上からみた図
【図６】実施例１にたわみ矯正ガイドを追加した図
【図７】図６のＣ部拡大図
【図８】明細票発行機構の側面構成図
【図９】実施例２の構造図
【図１０】実施例２を正面からみた図
【発明を実施するための形態】
【００１１】
本発明について、ＡＴＭに搭載されている取引内容をロール紙に印字して発行する明細票発行機構（レシートプリンタ）を例に図８を用いて説明する。図８は本発明の明細票発行機構の側面から見た内部構成図である。
【００１２】
まず、基本的な構造と動作について説明する。
【００１３】
基本的な明細票発行機構の構造としては、予備のロール紙３７を保管し、先の分離機構部３１へ搬送する補充機構部３０と、使用中のロール紙７を保持し、ロール紙７の使用開始時にその先端を分離して搬送路に引き込む分離機構部３１と、サーマルヘッド３２とプラテンローラ３３とで構成されロール紙へ印字を行う印字機構部３４と、印字されたロール紙を所定の長さにカットし明細票（レシート）とするカット機構部３５と、レシートを排出するための搬送ローラやガイドを配置した排出機構部３６とから構成されている。
【００１４】
予備のロール紙３７は係員等によってその先端が剥がされて補充機構部３０にセットされる。使用中である分離機構部３１にセットされているロール紙７を使い切った際、図示しない機構によって仕切り板３８を図中前後（紙面の垂直方向）もしくは上下方向に退避させ、傾斜面３９上のロール紙３７を先の分離機構部３１に転がして分離機後部への補充を行う。補充機構部３０から補充されたロール紙７は、駆動ローラ１にて、図中、反時計回りに回転させ、分離ガイド２を用いてロール紙先端をロール紙から分離し、印字機構部３４へ搬送する。印字機構部３４は、図示しないセンサにより用紙の位置を確認し、レシートをプラテンローラ３３で搬送しながら、印字ヘッド３２により取引内容を印字する。印字後、カット機構部３５にて所定の長さにカットし、カットしたレシートを排出機構部３６により搬送し、顧客へ排出される。上記の構成にて、レシートの補充や、顧客へのレシート発行が行われる。
【実施例１】
【００１５】
分離機構３１の第１の実施例について図１、２を用いて説明する。なお、図２は図１のＡ方向から見た構造図である。
本発明のロール紙分離機構は、ロール紙７を回転させるための駆動ローラ１と、駆動ローラ１を回転させるステッピングモータ等のアクチュエータ１５と、ロール紙先端を引っ掛け分離するための分離ガイド２と、分離したロール紙先端を挟持し搬送するための圧接した一対の搬送ローラ３と、搬送ローラ３にて用紙を挟持していることを検知する分離検知センサ４と、ロール紙のたるみを規制する規制ガイド５と、ロール紙の左右方向に対しての動きを規制する搬送ガイド１６とで構成している。ここで駆動ローラ１は、図２に示すように円錐形状になっており、ロール紙両端が駆動ローラ１の傾斜部に圧接するように設置する。
【００１６】
次に、本分離機構における用紙先端を分離する動作を説明する。
使用中のロール紙が使い切られ、補充機構部３０からの予備のロール紙７が分離機構部３１にセットされると、ステッピングモータ等のアクチュエータ１５により駆動ローラ１を回転し、ロール紙７をＢ方向に回転させる。この時、駆動ローラ１は、ロール紙７の自重により常にロール紙７の印刷面の横幅方向両端を下方向から押さえており、図２及び図３に示すように用紙先端１０を内側にたるませて剥がす。この時、用紙先端１０は図３に示すように中央部から剥がれるため、図４（図１を下側から見た図）のように分離ガイド２の先端を中央部ほど細くなるような形状にし、剥れた部分にその先端部を差し込むように分離する。分離後は、搬送ローラ３により搬送され、分離検知センサ４にて分離した用紙先端を検知して、分離動作が完了する。なお、分離部２の先端形状は図４に示した台形の形状に限らず、中央部ほど細くなるような先細りの形状であれば他の形状、例えば、三角形や角を丸めた三角形、あるいは卵型形状のようなものでもよい。
【００１７】
また、本実施例においては駆動ローラ１を円錐形状としてロール紙の横幅方向両端を押さえるように構成したが、駆動ローラの駆動軸そのものを正面から見て逆ハの字形に傾けて構成することも可能である。
【００１８】
なお、ロール紙のたるみが必要以上に大きくなった場合、搬送路内で用紙が引っ掛りジャムとなる懸念があるが、本実施例の分離機構の場合、図５（図１を上から見た図）に示すように、搬送ローラ３にてロール紙の横幅方向の全面を押さえる形状にすることにより、たるみを矯正できる。また、下流の印字機後部３４においても、ロール紙の横幅方向全てを印字ヘッド（３２）とプラテンローラ（３３）で挟み込むため、同様の効果を期待できる。
【００１９】
また、他のたるみを矯正する手段としては、図６に示すようにガイド部材１１を搬送ローラ３通過後に設置する。駆動ローラ１にて発生したたるみをガイド部材１１が搬送路上部側にガイドする。図７は、このガイド部材１１がたるみを矯正する状態を説明するための図であり、図６のＣ部を拡大した図である。図７に示すようにガイド部材１１を斜めに、隙間２０をあけて設置している。この隙間２０を通過することでたるみを矯正する。ガイド部材１１の素材としては、好ましくは絶縁性のある軟性のものが適している。同様に、搬送路そのものの隙間を狭くすることでもたるみを矯正できる。
【００２０】
本発明は、ロール紙両端を押さえることにより、ロール紙を中央にたわませ分離ガイドにて分離を行う機構としている。他にロール紙をたるませる機構として、スプリングを利用した機構を以下第２の実施例にて説明する。
【実施例２】
【００２１】
分離機構の他の実施例について図９、図１０を用いて以下に説明する。図９、図１０は、それぞれ第１の実施例の図１、図２に対応しており、同一部分には同一の符号を記した。
【００２２】
第１の実施例では、駆動ローラ１の形状を円錐型にすることによりロール紙中央部付近をたわませていた。本実施例では、図９に示すように駆動ローラ１と分離ガイド２の間とに分離補助用ガイド１２を取付ける。第１の実施例と第２の実施例との相違点は、図９〜１０において、分離補助用ガイド１２を備えたこと、駆動ローラ１の配置と形状を変えた点にある。本例の駆動ローラ１の形状は図１０に示すように、円柱形状であってロール紙の横幅方向のほぼ中央に配置する。分離補助用ガイド１２はスプリング１３等でロール紙７の横幅方向側面の下側両端に押し当て、ロール紙両端を内側に押す機構となっている。以下、この構成で、分離機構で用紙先端を分離する動作を説明する。
【００２３】
駆動ローラ１は、ステッピングモータ等のアクチュエータ（図示省略）により駆動する。駆動ローラ１を時計回りに回転させることによりロール紙７を半時計方向（Ｂ方向）に回転させる。この際、分離補助用ガイド１２がロール紙両端を下から押さえることにより、用紙先端を内側にたるませて剥がし、分離ガイド２の下に入り込ませるよう分離する。分離後は、搬送ローラ３により搬送され、分離検知センサ４にて分離した用紙先端を検知して、分離動作が完了する。
【００２４】
このように、本発明はロール紙の横幅方向両端を下側から押すことによりロール紙先端を剥がし、ロール紙先端とロール紙に隙間をつくり分離するものであり、同様の原理を用いた機構であれば、他の構成でも構わない。例えば、ロール紙の片側を壁などで規制し、片側のみを押してたわみを作り出すことでも同様の効果を期待できる。
【符号の説明】
【００２５】
１：駆動ローラ
２：分離ガイド
３：搬送ローラ
４：センサ
５：たるみ規制ガイド
７：ロール紙
８：ロール紙中心部のたるみ
１０：ロール紙先端
１１：たるみ規制ガイド
１２：分離補助用ガイド
１３：スプリング
１５：アクチュエータ
１６：搬送ガイド
２０：隙間
３０：補充機構部
３１：分離機構部
３２：サーマルヘッド
３３：プラテンローラ
３４：印字機構部
３５：カット機構部
３６：排出機構部
３７：補充ロール紙
３８：仕切り板
３９：傾斜面方向
【図１】
2012162337.tif 000003
【図２】
2012162337.tif 000004
【図３】
2012162337.tif 000005
【図４】
2012162337.tif 000006
【図５】
2012162337.tif 000007
【図６】
2012162337.tif 000008
【図７】
2012162337.tif 000009
【図８】
2012162337.tif 000010
【図９】
2012162337.tif 000011
【図１０】
2012162337.tif 000012